(57)【特許請求の範囲】
【請求項１】
基板の一方の面側に画素電極を形成し、
前記画素電極が形成された面の指針駆動軸が形成される領域にレジストを形成し、
前記レジストを残留させた状態で前記画素電極の上に有機ＥＬ層及び対向電極を順に成膜し、
前記レジストを除去した後に、前記レジストがあった箇所にセンターシールを形成し、
前記センターシールに重なる部分において前記基板を穿孔する、ことを特徴とする指針盤の製造方法。
【請求項２】
前記基板の穿孔の前に前記センターシールの上からカバーを被せ、前記基板の穿孔に際して前記センターシールに重なる部分において前記カバーも穿孔する、ことを特徴とする請求項１に記載の指針盤の製造方法。
【請求項３】
基板の一方の面側に画素電極を形成し、
前記画素電極が形成された面の指針駆動軸が形成される領域にレジストを形成し、
前記画素電極が形成された面の周囲部に枠状のマスクを重ね、
前記レジストを残留させ且つ前記マスクを重ねた状態で前記画素電極の上に有機ＥＬ層及び対向電極を順に成膜し、
前記レジスト及び前記マスクを除去した後に、前記レジストがあった箇所にセンターシールを形成し、前記マスクがあった箇所に枠状シールを形成し、
前記センターシールに重なる部分において前記基板を穿孔する、ことを特徴とする指針盤の製造方法。
【請求項４】
前記基板の穿孔の前に前記センターシール及び前記枠状シールの上からカバーを被せ、前記基板の穿孔に際して前記センターシールに重なる部分において前記カバーも穿孔する、ことを特徴とする請求項３に記載の指針盤の製造方法。
【請求項５】
前記センターシールを形成するに際してそのセンターシールをリング状に形成し、
前記基板の穿孔に際して、前記センターシールの中央部の穴に重なる部分において前記基板を穿孔する、ことを特徴とする請求項１から４の何れか一項に記載の指針盤の製造方法。
【発明の詳細な説明】
【技術分野】
【０００１】
本発明は、指針盤の製造方法に関し、特にディスプレイ機能付きの指針盤の製造方法に関する。
【背景技術】
【０００２】
針式腕時計、針式壁掛け時計、針式置き時計、針式計測器等において、針の位置によって時刻、計測値等が表される。針の裏側には指針盤が設けられており、指針盤には目盛り等が設けられている。指針盤の背面には指針駆動部が取り付けられており、指針盤の指針が形成される領域が穿孔されており、その孔に指針駆動部の駆動軸が通され、指針盤の正面側において針が駆動軸に取り付けられている。
【０００３】
また、各種の表示機能付きの指針盤も用いられている。例えば、指針盤の前面側に液晶ディスプレイパネルが設けられ、その液晶ディスプレイパネルで各種の表示が行われる。
【特許文献１】特開平１１−２０２０５９号公報
【発明の開示】
【発明が解決しようとする課題】
【０００４】
ところで、液晶ディスプレイだけでなく、有機ＥＬ（ＥＬ：Electro-Luminescence：エレクトロ ルミネッセンス）素子アレイを利用したディスプレイパネルも指針盤に利用したいという要望がある。ところが、ディスプレイパネルの有機ＥＬ素子に外気が接触すると、有機ＥＬ素子が劣化しやすいという問題があり、そのような劣化を防止するべく、有機ＥＬ素子を封止する必要がある。その封止の方法としては、基板に形成された有機ＥＬ素子アレイの周辺部に枠状のシールを形成し、そのシールの上からカバーを被せる方法がある。
【０００５】
しかしながら、有機ＥＬディスプレイパネルを指針盤に用いる場合、針の駆動軸を通すための孔をディスプレイパネルの中央部に貫通させる必要がある。そのためには、有機ＥＬ素子アレイの中央部やカバーの中央部に孔を形成し、その孔の周囲にシールを設け、その孔の周囲においてそのシールを有機ＥＬ素子アレイとカバーとの間に挟持する必要がある。ところが、有機ＥＬ素子アレイとシールの密着性は高くないので、そのシール性が高くない。更に、その孔の壁面には有機ＥＬ素子アレイの断面が存するので有機ＥＬ素子が外気に接してしまう。
そこで、本願は、シール性を高められるようにすることを課題とする。
【課題を解決するための手段】
【０００６】
以上の課題を解決するために、請求項１に係る発明によれば、
基板の一方の面側に画素電極を形成し、
前記画素電極が形成された面の指針駆動軸が形成される領域にレジストを形成し、
前記レジストを残留させた状態で前記画素電極の上に有機ＥＬ層及び対向電極を順に成膜し、
前記レジストを除去した後に、前記レジストがあった箇所にセンターシールを形成し、
前記センターシールに重なる部分において前記基板を穿孔する、ことを特徴とする指針盤の製造方法が提供される。
【０００７】
請求項２に係る発明によれば、
前記基板の穿孔の前に前記センターシールの上からカバーを被せ、前記基板の穿孔に際して前記センターシールに重なる部分において前記カバーも穿孔する、ことを特徴とする請求項１に記載の指針盤の製造方法が提供される。
【０００８】
請求項３に係る発明によれば、
基板の一方の面側に画素電極を形成し、
前記画素電極が形成された面の指針駆動軸が形成される領域にレジストを形成し、
前記画素電極が形成された面の周囲部に枠状のマスクを重ね、
前記レジストを残留させ且つ前記マスクを重ねた状態で前記画素電極の上に有機ＥＬ層及び対向電極を順に成膜し、
前記レジスト及び前記マスクを除去した後に、前記レジストがあった箇所にセンターシールを形成し、前記マスクがあった箇所に枠状シールを形成し、
前記センターシールに重なる部分において前記基板を穿孔する、ことを特徴とする指針盤の製造方法が提供される。
【０００９】
請求項４に係る発明によれば、
前記基板の穿孔の前に前記センターシール及び前記枠状シールの上からカバーを被せ、前記基板の穿孔に際して前記センターシールに重なる部分において前記カバーも穿孔する、ことを特徴とする請求項３に記載の指針盤の製造方法が提供される。
【００１０】
請求項５に係る発明によれば、
前記センターシールを形成するに際してそのセンターシールをリング状に形成し、
前記基板の穿孔に際して、前記センターシールの中央部の穴に重なる部分において前記基板を穿孔する、ことを特徴とする請求項１から４の何れか一項に記載の指針盤の製造方法が提供される。
【発明の効果】
【００１３】
本発明によれば、指針駆動軸が形成される領域にレジストを残留させ且つマスクを重ねた状態で画素電極の上に有機ＥＬ層、対向電極を積層したので、レジストやマスクに重なった部分には有機ＥＬ層や対向電極が形成されない。そして、レジストがあった箇所にセンターシールを形成し、マスクがあった箇所に枠状シールを形成したので、センターシールや枠状シールの密着性が高い。そのため、シール性を高くすることができる。
指針駆動軸が形成される領域に島状に設けられたレジストは周囲のマスクから離れているが、レジストであるがゆえに、有機ＥＬ層や対向電極の成膜の際にそのレジストがずれにくい。そのため、決められた中央部に有機ＥＬ層や対向電極を成膜しないようにすることを確実に行える。
また、センターシールに重なる部分が穿孔されるが、その部分には有機ＥＬ層や対向電極が形成されていないので、その孔の壁面には有機ＥＬ層や対向電極が露出していない。そのため、有機ＥＬ層や対向電極の外気への接触を防止することができる。
【発明を実施するための最良の形態】
【００１４】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１５】
マトリクスディスプレイ機能付きの指針盤を製造するに際して、まず、図１、図２に示すように、ガラス製又はプラスチック製の透明基板２を準備する。基板として透明基板２を用いるが、基板として透明な可撓性シートを用いてもよい。
【００１６】
透明基板２の一方の面に対し、透明な導電性膜を気相成長法（例えば、スパッタリング法、蒸着法等）によって成膜し、その導電性膜をフォトリソグラフィー法及びエッチング法によって複数の画素電極３に形状加工する。画素電極３を形成するに際して、これら画素電極３を二次元アレイ状に配列するようにする。画素電極３は、例えば、錫ドープ酸化インジウム（ＩＴＯ）、亜鉛ドープ酸化インジウム、酸化インジウム（Ｉｎ2Ｏ3）、酸化スズ（ＳｎＯ2）、酸化亜鉛（ＺｎＯ）又はカドミウム−錫酸化物（ＣＴＯ）からなるものである。なお、画素電極３が、有機ＥＬ素子のアノード電極になる。
【００１７】
続いて、透明基板２の一方の面に対して気相成長法、フォトリソグラフィー法、エッチング法、レジスト除去工程を適宜行うことによって透明基板２の一方の面にトランジスタ層４を形成する。トランジスタ層４はアクティブマトリクス駆動回路を構成するものであって、アクティブマトリクス駆動回路は複数の信号線、平面視してそれら信号線に直交する複数の走査線、信号線と走査線の各交差部に配置された薄膜トランジスタ５等を有するものである。アクティブマトリクス駆動回路の回路構成はどのようなものであってもよく、１画素につき設けられる薄膜トランジスタ５の数は本発明を限定するものでない。
【００１８】
トランジスタ層４を形成するに際しては、オーバーコート層６を成膜し、そのオーバーコート層６によって薄膜トランジスタ５を被覆する。また、そのオーバーコート層６をパターニングすることによって、それぞれの画素電極３に対応する箇所に開口７を形成する。これにより、画素電極３を露出させる。
【００１９】
なお、トランジスタ層４を形成した後に、複数の画素電極３をオーバーコート層６の上に形成してもよい。
【００２０】
次に、これらトランジスタ層４が形成された面にネガ型レジスト膜を形成し、そのネガ型レジスト膜の中央部を円形状に露光する。露光するに際して、光量を低めにするとよい。そして、レジスト膜を現像剤で現像すると、図３〜４に示すように、露光しなかった部分が除去され、露光した部分８が残留する。ここで、露光時の光量を低めにすると、残留したレジスト８の形状は、透明基板２側に向かうにつれて径が小さくなる円錐台状となる。このように、フォトレジスト法を用いたので、残留レジスト８を指針駆動軸が形成される領域において島状に形成することができ、残留レジスト８がずれたりしにくい。なお、レジストはポジ型であってもよいが、その場合、露光する箇所と露光しない箇所はネガ型に対して反転させる。
【００２１】
次に、枠状のマスク９を透明基板２の縁部分に沿って透明基板２の上に重ねる。なお、このマスク９を重ねるのが好ましいが、このマスク９を重ねなくてもよい。
次に、図５に示すように、有機ＥＬ層１０を蒸着法によって成膜する。そうすると、残留レジスト８及びマスク９の重なっていない部分では、複数の画素電極３の上に有機ＥＬ層１０が積層され、残留レジスト８及びマスク９の上には、有機ＥＬ層１０と同材料の層１１が形成される。ここで、有機ＥＬ層１０を成膜するに際して、発光層だけを成膜してその発光層を有機ＥＬ層１０としてもよいし、正孔輸送層及び発光層を順に積層してその積層物を有機ＥＬ層１０としてもよいし、発光層及び電子輸送層を順に積層してその積層物を有機ＥＬ層１０としてもよいし、正孔輸送層、発光層及び電子輸送層を順に積層してその積層物を有機ＥＬ層１０としてもよい。なお、他の気相成長法によって有機ＥＬ層１０を成膜してもよいし、塗布法によって有機ＥＬ層１０を成膜してもよい。また、有機ＥＬ層１０を複数の画素に共通するよう一面に成膜するのではなく、印刷法によって有機ＥＬ層１０を画素ごとに形成してもよい。
【００２２】
次に、対向電極１２を気相成長法（蒸着法、スパッタリング法等）によって成膜する。そうすると、残留レジスト８及びマスク９の重なっていない部分において、有機ＥＬ層１０の上に対向電極１２が積層され、残留レジスト８及びマスク９の上には、対向電極１２と同材料の層１３が形成される。成膜された対向電極１２が有機ＥＬ素子のカソード電極となる。以上の工程を経ることで、指針盤用の表示パネル４０が得られる。なお、マスク９を重ねずに、有機ＥＬ層１０と対向電極１２を順に成膜してもよい。
次に、マスク９を外すとともに、残留レジスト８を除去液で除去する。
【００２３】
次に、図６に示すように、有機ＥＬ層１０や対向電極１２が形成されていない中央部の指針駆動軸が形成される領域（残留レジスト８があった箇所）に保護メタル膜１４を成膜する。
次に、図６〜７に示すように、有機ＥＬ層１０や対向電極１２が形成されていない中央部の指針駆動軸が形成される領域（残留レジスト８があった箇所）にリング状のセンターシール１５を印刷するとともに、有機ＥＬ層１０や対向電極１２が形成されていない周囲部（マスク９があった箇所）に枠状のシール１６を印刷する。なお、シール１５はリング状でなく、円形状であってもよいが、シール１５がリング状であると、ドリルにシール１５が絡み付くことがなくなる。なお、マスク９を重ねずに、有機ＥＬ層１０と対向電極１２を成膜した場合、対向電極１２の上であってその周囲部に枠状シール１６を印刷することになる。
【００２４】
次に、図８に示すように、有機ＥＬ層１０、対向電極１２が形成された面をシール１５，１６の上からガラス製のカバー１７で覆い、シール１５，１６にカバー１７を接合する。なお、カバー１７の中央部に予め孔が形成されていてもよく、その場合、シール１５の周囲部分がカバー１７の孔の縁部分に重ねる。
【００２５】
次に、図９に示すように、ドリルによって透明基板２及びカバー１７の中央部を穿孔し、残留レジスト８の直径よりも小さい直径のセンターホール１８をその中央部に形成する。このように、透明基板２、カバー１７、オーバーコート層６、保護メタル膜１４を同時に穿孔することができる。ここで、穿孔する箇所は、シール１５の中央部の穴１９に重なる部分である。以上により、指針盤１が完成する。
なお、シール１５がリング状でなく、円形状である場合、シール１５の中央部もドリルによって穿孔する。また、カバー１７の中央部に予め孔が形成されている場合、透明基板２にセンターホール１８を形成し、カバー１７に予め形成された孔とそのセンターホール１８が連なる。
【００２６】
次に、図１０〜１１に示すように、得られた指針盤１に対して半透明化粧板２０を貼り付ける。具体的には、トランジスタ層４が形成された面とは反対側の面に、中央部に穴の開いた半透明化粧板２０を貼り付ける。
【００２７】
次に、指針駆動部２１の駆動軸２２をセンターホール１８に通して、指針駆動部２１をカバー１７に取り付ける。次に、駆動軸２２に指針２３を取り付ける。指針駆動部２１は指針２３を回転させるものである。
【００２８】
この指針盤１は時計用、計測用等に用いられるものであり、指針２３の数、指針駆動部２１の動作、半透明化粧板２０の表示等は指針盤１の用途に応じたものである。この指針盤１においては、透明基板２が表示面となる。なお、カバー１７が表示面となってもよい。この場合、透明基板２や画素電極３は透明でなくてもよいが、カバー１７及び対向電極１２を透明にする必要がある。
【００２９】
以上のように、本実施形態によれば、中央部のレジスト８を残留させ且つマスク９を重ねた状態で画素電極３の上に有機ＥＬ層１０、対向電極１２を積層したので、有機ＥＬ層１０や対向電極１２を積層した後でも、レジスト８やマスク９に重なった部分には有機ＥＬ層や対向電極が形成されず、オーバーコート層６が露出している。そして、レジスト８があった箇所にセンターシール１５を形成し、マスク９があった箇所に枠状シール１６を形成したので、センターシール１５や枠状シール１６の密着性が高い。そのため、シール性を高くすることができる。
【００３０】
また、透明基板２やカバー１７はセンターシール１５に重なる部分において穿孔されるが、その部分には有機ＥＬ層１０や対向電極１２が形成されていないので、そのセンターホール１８の壁面には有機ＥＬ層１０や対向電極１２が露出していない。そのため、有機ＥＬ層１０や対向電極１２の外気への接触を防止することができる。
【００３１】
また、センターホール１８の形成前に、カバー１７、センターシール１５及び枠状シール１６を設けたので、穿孔時の切り屑が対向電極１２の上に付着しない。そのため、対向電極１２を保護することができる。
【００３２】
なお、本発明は上記実施形態に限定されるものではなく、上記実施形態に対して種々の設計変更を行ったものも本発明の範囲に含まれる。
上記実施形態では、センターホール１８の形成前にカバー１７を重ねて接合したが、カバー１７を重ねずにセンターホール１８をドリルにより形成してもよい。その場合、センターホール１８の形成後にカバー１７を重ねるのがより好ましい。センターホール１８の形成後に重ねるカバー１７の中央部には予め孔が形成されており、カバー１７を重ねて接合する際には、カバー１７の孔がセンターホール１８に重なる。
【図面の簡単な説明】
【００３３】
【図１】図１は、指針盤の製造方法において画素電極を形成した状態を示した平面図である。
【図２】図２は、図１のII−II線に沿った面の矢視断面図である。
【図３】図３は、指針盤の製造方法においてレジスト及びマスクを施した状態を示した平面図である。
【図４】図４は、図３のIV−IV線に沿った面の矢視断面図である。
【図５】図５は、指針盤の製造方法において有機ＥＬ層及び対向電極を形成した状態を示した断面図である。
【図６】図６は、指針盤の製造方法においてシールを施した状態の状態を示した断面図である。
【図７】図７は、指針盤の製造方法においてシールを施した状態の状態を示した平面図である。
【図８】図８は、指針盤の製造方法においてカバーを施した状態の状態を示した断面図である。
【図９】図９は、指針盤の製造方法において孔を施した状態の状態を示した断面図である。
【図１０】図１０は、指針盤に指針等を取り付けた状態を示した平面図である。
【図１１】図１１は、図１０のXI−XI線に沿った面の矢視断面図である。
【符号の説明】
【００３４】
２  透明基板
３  画素電極
８  レジスト
９  マスク
１０  有機ＥＬ層
１２  対向電極
１５  センターシール
１６  枠状シール
１７  カバー
１８  センターホール
１９  穴
４０  表示パネル
【図１】
0005092640.tif 000002
【図２】
0005092640.tif 000003
【図３】
0005092640.tif 000004
【図４】
0005092640.tif 000005
【図５】
0005092640.tif 000006
【図６】
0005092640.tif 000007
【図７】
0005092640.tif 000008
【図８】
0005092640.tif 000009
【図９】
0005092640.tif 000010
【図１０】
0005092640.tif 000011
【図１１】
0005092640.tif 000012